(57)【特許請求の範囲】
【請求項１】
表面作用部を有する美容具本体と、この美容具本体と両端部が連結して美容具本体の裏面側にループを形成する帯状部材と、を備えており、この帯状部材によって形成されたループ内に手指を挿通して上記表面作用部を対象部分に押圧移動させて使用する無駄毛処理あるいは角質処理を行うための美容具であって、
上記美容具本体の周縁部には、上記ループ内に挿通された手指を保持するための保持手段が設けられており、
上記保持手段は、上記ループ内に挿通された手指の形状に対応して上記美容具本体の裏面側から凹入する切欠部を複数隣接して形成したものであることを特徴とする、美容具。
【請求項２】
上記表面作用部は、サンドペーパーである、請求項１に記載の美容具。
【発明の詳細な説明】
【０００１】
【発明の属する技術分野】
本願発明は、手足などの無駄毛を除去するための無駄毛処理、あるいは皮膚の角質を除去するための角質処理を行うための美容具に関する。
【０００２】
【従来の技術】
女性にとって、より美しくなりたいという願望は切なるものであり、それゆえ、手足の産毛の除去や肘、膝などの角質の除去は、一般の女性にとって重大な関心事である。特に、肌を露出する機会の多い夏場においてはなおさらである。
【０００３】
そのため、従来より、無駄毛処理、あるいは角質処理を行うための様々な美容具やその処理方法が提案され、実践されている。たとえば、無駄毛処理を行う方法としては、剃刀によって無駄毛を剃り落とす方法、毛抜きを用いて無駄毛を脱毛する方法、脱毛クリームを用いて無駄毛を脱毛する方法、あるいは電気的に無駄毛を分解する方法などがある。また、角質を除去する方法としては、軽石やヤスリを用いて角質を擦り取る方法などがある。
【０００４】
【発明が解決しようとする課題】
しかしながら、剃刀によって無駄毛を剃り落とす方法は、危険かつ多少なりとも熟練を要する作業であり、不慣れな人間が行うと剃刀の刃によって肌を傷つけてしまう恐れがある。また、たとえ綺麗に無駄毛を剃り落とせたとしても、直ぐに新しい毛が生えてくるので、短期間の間に同じ作業を何度も行わなければならず、煩わしい。そして、毛抜きを用いて無駄毛を脱毛する方法や脱毛クリームを用いて無駄毛を脱毛する方法は、脱毛であるので直ぐに新しい毛が生えてくるということはないものの、毛抜きを用いて無駄毛を脱毛する方法は、無駄毛を一本一本抜かなければならず、大変な手間と労力を要し、脱毛クリームは肌の弱い人間では、かぶれの原因となる。また、電気分解による方法は、特殊な装置と熟練技術を要するために、家庭内において個人的に行うことができない。そして、軽石やヤスリを用いて角質を擦り取る方法は、皮膚を傷める可能性がある。
【０００５】
本願発明は、上記した事情のもとで考え出されたものであって、労力を要さず、簡易な方法によって手足の無駄毛処理、あるいは角質処理を家庭内において行うことができるとともに、使い勝手のよい美容具を提供することをその課題とする。
【０００６】
【発明の開示】
上記の課題を解決するため、本願発明では、次の技術的手段を講じている。
【０００７】
すなわち、本願発明に係る美容具は、表面作用部を有する美容具本体と、この美容具本体と両端部が連結して美容具本体の裏面側にループを形成する帯状部材と、を備えており、この帯状部材によって形成されたループ内に手指を挿通して上記表面作用部を対象部分に押圧移動させて使用する無駄毛処理あるいは角質処理を行うための美容具であって、上記美容具本体の周縁部には、上記ループ内に挿通された手指を保持するための保持手段が設けられており、上記保持手段は、上記ループ内に挿通された手指の形状に対応して上記美容具本体の裏面側から凹入する切欠部を複数隣接して形成したものであることを特徴としている。
【０００８】
好ましくは、上記表面作用部は、サンドペーパーであり、本願発明に係る美容具においては目の細かいサンドペーパーを用いるのが好ましい。
【０００９】
このような美容具によれば、手間、労力、および熟練を要さずとも容易に家庭内において無駄毛の脱毛、あるいは角質処理を行うことができる。また、脱毛であるがゆえに、直ぐに新しい毛が生えてくることもない。さらに、上記美容具は、簡易な手段によって製造することができ、美容具を安価に提供することができる。
【００１０】
また、このような美容具は、帯状部材によって形成されたループ内に手指を挿通し、美容具本体の周縁部に設けられた保持手段に上記ループ内に挿通された手指を保持して上記表面作用部を無駄毛処理、あるいは角質処理を行う対象部分に押圧移動させて使用するものである。したがって、無駄毛処理、あるいは角質処理を行うべく表面作用部を対象部分に押圧移動させた場合であっても、上記帯状部材および上記保持手段によってループ内に挿通された手指の美容具に対する相対移動が制限されるので、本願発明に係る美容具を手指に装着して使用する場合の手指の安定感が非常によく、使い勝手がよい。さらに、上記ループ内に挿通、保持された手指が安定しているので、手指に力を込めやすく、また手指に込められた力が効率よく上記美容具本体に伝えられるので、無駄な力を要さずとも上記表面作用部を無駄毛処理、あるいは角質処理を行う対象部分に押圧、移動させて無駄毛処理、あるいは角質処理を行うことができる。
【００１１】
本願発明のその他の特徴および利点は、添付図面を参照して以下に行う詳細な説明によって、より明らかとなろう。
【００１２】
【発明の実施の形態】
以下、本願発明の好ましい実施の形態を、図面を参照して具体的に説明する。
【００１３】
図１は、本願発明に係る美容具１の全体斜視図であり、図２は、その側面図であり、図３は、その平面図であり、図４は図３のIV −IV 線に沿う断面図である。本願発明に係る美容具１は、表面作用部２を有する美容具本体１０と、帯状部材３とを備えており、この帯状部材３の両端部３ａ，３ａが、上記美容具本体１０と連結してループを形成している。
【００１４】
上記帯状部材３は、ビニールなどによってその両端部３ａ，３ａが幅細に、そして中央部が美容具の使用時において上記ループ内に挿通された手指を安定感よく保持するために幅太に形成されている。
【００１５】
上記美容具本体１０は、図３に良く表れているように、平面視において略円形をなしており、その周縁部１１からは左右方向に耳鍔部４，４がそれぞれ延出している。さらに、図１および図２に示すように、周縁部１１には、切欠部８，８，８が形成されている。また、図４に示すように、上記美容具本体１０は、中央部が若干もりあがった凸状球面をなしており、その表面に形成された凹陥部６にサンドペーパーが貼設されて表面作用部２が形成されている。上記凹陥部６は、サンドペーパーの厚みと略同等の厚みに形成されており、美容具の表面が面一になるように構成されている。上記サンドペーパーは、皮膚への刺激を考慮して目の細かいものを用いるのが好ましい。なお、上記美容具本体１０は、樹脂成形などにより容易に形成することができる。
【００１６】
上記耳鍔部４，４の中央部には、支軸７，７が設けられており、この支軸７，７に上記帯状部材３の端部３ａ，３ａを巻き止めて上記美容具本体１０に上記帯状部材３を連結し、上記美容具本体１０の裏面側１０ａに第２指から第４指を挿通できる程度の大きさのループを形成している。
【００１７】
上記切欠部８，８，８は、図１、図２、および図３に示すように、互いに隣接し、指の形状に対応して各々弓形状に形成されている。このようにして形成された切欠部８，８，８は、上記ループ内に第２指から第４指を挿通した状態において、各々の指の第一関節部付近を保持し、上記美容具本体１０と上記ループ内に挿通した手指がフィットするように構成されている。すなわち、非常に安定感よく上記美容具１を手指に装着することができる。
【００１８】
このように構成された美容具１は、図１および図５に示すように、上述したように上記帯状部材３によって形成されたループ内に第２指から第４指を挿通し、上記切欠部８，８，８に各々の指の第一関節部付近を保持して、無駄毛処理、あるいは角質処理を行う対象部分に上記美容具１の表面作用部２を押圧、移動させて使用する。
【００１９】
このような作業は、手間、労力、および熟練を要さずとも容易に家庭内において行うことができる。また、上記美容具１は、簡易な手段によって製造することができ、美容具１を安価に提供することができる。
【００２０】
さらに、無駄毛処理、あるいは角質処理を行うべく表面作用部２を無駄毛処理、あるいは角質処理を行う対象部分に押圧移動させた場合であっても、上記帯状部材３および上記切欠部８，８，８によってループ内に挿通された手指の美容具１に対する相対移動が制限されるので、本実施形態に係る美容具１を手指に装着して使用する場合の手指の安定感が非常によく、使い勝手がよい。さらに、上記ループ内に挿通、保持された手指が安定しているので、手指に力を込めやすく、手指に込められた力が効率よく上記美容具本体１０に伝えられるので、無駄な力を要さずとも上記表面作用部３を無駄毛処理、あるいは角質処理を行う対象部分に押圧、移動させることができる。
【００２１】
もちろん、この発明の範囲は上述した実施の形態に限定されるものではない。本願発明が要点とするところは、上述した実施形態に表されているように、美容具本体に手指の保持手段を設けたことにある。したがって、美容具本体の形状、帯状部材の形状、あるいは美容具本体と帯状部材との連結手段は上述した実施形態に限定されず、様々に設計変更可能である。
【図面の簡単な説明】
【図１】本願発明に係る美容具の全体斜視図である。
【図２】本願発明に係る美容具の使用状態を示す側面図である。
【図３】本願発明に係る美容具の平面図である。
【図４】図３のIV−IV線に沿う断面図である。
【図５】本願発明に係る美容具の使用状態を示す底面図である。
【符号の説明】
１  美容具
２  表面作用部（サンドペーパー）
３  帯状部材
３ａ  端部（帯状部材の）
８  切欠部
１０  美容具本体
１０ａ  裏面側（美容具本体の）
１１  周縁部（美容具本体の）
【図１】
0003776988.tif 000002
【図２】
0003776988.tif 000003
【図３】
0003776988.tif 000004
【図４】
0003776988.tif 000005
【図５】
0003776988.tif 000006